(57)【要約】      （修正有）【課題】無線通信システムにおいて、基地局からの制御メッセージに端末が誤って応答することを防止可能な方法を提供する。【解決手段】キャリアアグリゲーションを採用しているLTE TDDにおいて、送信器（基地局）は、２ビットのシーケンス番号またはダウンリンク割り当てインディケータ（DAI）を、所与のサブフレームにおける連続するキャリア周波数の幾つか、またはすべてで送信されるパケットに関するダウンリンク制御情報（DCI）メッセージに添付する。シーケンス番号の数列は、パケットの受信確認に必要なACK/NACKビット数（ACK/NACKコードブックサイズ）を決定するために使用する。受信器（端末）はACK/NACKコードブックサイズを、受信したDAI値のシーケンスに応じてある精度内、または他の制約内で決定する。精度また制約は、予め決定、構成、またはシーケンスにより示す。【選択図】図４
2017028683.tif 000002
【特許請求の範囲】
【請求項１】
無線通信方法であって、
送信器において、
少なくとも一つの基準を満たし、かつ、シーケンスにおける受信器への送信のための制御メッセージの数を決定し、
シーケンス番号を前記シーケンスにおける各制御メッセージと関連付け、前記シーケンスにおける少なくとも一つの制御メッセージの前記シーケンス番号は、前記制御メッセージ数の一つ以上の受信の結果として、前記受信器から送信される確認応答の数に適用される制約により決定され、
前記決定された制御メッセージ数と、前記関連付けられたシーケンス番号を送信し、
受信器において、
前記制御メッセージおよび前記関連付けられたシーケンス番号の一つ以上を受信し、
前記受信した制御メッセージに対応して送信される前記確認応答の数を、前記シーケンス番号および送信される前記確認応答の数に適用される前記制約に応じて決定し、
前記決定された確認応答の数を送信する、
ことを含む方法。
【請求項２】
前記受信器は、複数のキャリアを介する無線通信のために構成されており、各制御メッセージは、それぞれのキャリアに関する、請求項１に記載の方法。
【請求項３】
前記制御メッセージの数の決定において採用される前記少なくとも一つの基準は、
前記制御メッセージは、定義された時間ウインドウ内で送信されること、
前記制御メッセージは、定義された時間ウインドウ内で受信されること、
前記制御メッセージは、ダウンリンクスケジューリングに対してであること、
前記制御メッセージは、特定のメッセージファーマットで送信されること、
前記制御メッセージは、特定のチャネルを介して送信されること、
のうちの一つ以上を含む、請求項１または２に記載の方法。
【請求項４】
無線通信は、それぞれが一連のサブフレームから構成されているフレーム内でスケジューリングされ、かつ、前記少なくとも一つの基準は、前記制御メッセージが同じサブフレームに関するダウンリンクスケジューリングに対してであることを含む、請求項３に記載の方法。
【請求項５】
前記シーケンスにおける連続する制御メッセージと関連付けられる前記シーケンス番号は、前記確認応答の数に適用される前記制約に応じた量だけ増加される、請求項１〜４の何れか一項に記載の方法。
【請求項６】
前記シーケンス番号に応じて送信される前記確認応答の数を決定することは、前記シーケンス番号の数列を区別することを含む、請求項１〜５の何れかに一項に記載の方法。
【請求項７】
前記関連付けることにおいて、前記シーケンスにおける連続する制御メッセージと関連付けられる前記シーケンス番号は、前記シーケンスにおける制御メッセージの総数に応じて決定される、請求項１〜６の何れか一項に記載の方法。
【請求項８】
前記制約は、送信される前記確認応答の数が、Nが2、4、または8である場合の、Nの倍数である前記制御メッセージ数に対応することである、請求項１〜７の何れか一項に記載の方法。
【請求項９】
前記制約は、送信される前記確認応答の数が、Aが1、2、3、または4、Bが2または4、Nがゼロ以上の整数である場合の、A+BNに等しい前記制御メッセージ数に対応することである、請求項１〜８の何れか一項に記載の方法。
【請求項１０】
前記シーケンス番号の前記数列は、
SQI(i)=f(i,c) mod n 
で与えられ、
SQIはシーケンス番号であり、
iは前記制御メッセージのシーケンスにおける前記制御メッセージを識別し、
cは前記シーケンスにおける前記決定された制御メッセージ数であり、
f(i,c)はiとcとの関数であり、
nは異なる可能なシーケンス番号の数である、請求項１〜９の何れか一項に記載の方法。
【請求項１１】
前記受信器において、
制御メッセージおよび関連付けられたシーケンス番号を前記送信器から受信し、
前記シーケンス番号に基づいて、前記シーケンスにおける少なくとも一つの制御メッセージが紛失したか否かを決定し、かつ、紛失した制御メッセージ数を決定し、
前記決定を前記送信器に通知する、
ことをさらに含む請求項１〜１０の何れか一項に記載の方法。
【請求項１２】
前記無線通信方法は、LTEをベースとする無線通信システムに適用され、
前記無線通信システムにおいて、前記送信器は基地局であり、前記受信器は端末であり、
前記制御メッセージはダウンリンク制御情報であり、前記シーケンス番号はダウンリンク割り当てインデックスである、請求項１〜１１の何れか一項に記載の方法。
【請求項１３】
無線通信システムにおける送信器であって、
少なくとも一つの基準を満たし、シーケンスにおける受信器への送信のための制御メッセージの数を決定し、
シーケンス番号を、前記シーケンスにおける各制御メッセージと関連付け、前記シーケンスにおける少なくとも一つの制御メッセージの前記シーケンス番号は、前記制御メッセージ数の一つ以上の受信の結果として、前記受信器から送信される確認応答の数に適用される制約により決定され、
前記決定された制御メッセージ数と、前記関連付けられたシーケンス番号を前記受信器に送信するように構成されていることを特徴とする送信器。
【請求項１４】
無線通信システムにおける受信器であって、
送信器から制御メッセージ数の一つ以上を受信し、シーケンス番号がシーケンスにおける各制御メッセージと関連付けられ、かつ、前記シーケンスにおける少なくとも一つの制御メッセージの前記シーケンス番号は、前記制御メッセージ数の一つ以上の受信の結果として前記受信器から送信される確認応答の数に適用される制約に応じて決定され、
前記シーケンス番号と、送信される前記確認応答の数に適用される前記制約に応じて、前記受信した制御メッセージに対応して送信される前記確認応答の数を決定し、
前記決定した確認応答の数を送信するように構成されている受信器。
【請求項１５】
請求項１３に記載の前記送信器と、請求項１４に記載の前記受信器と、を有する無線通信システム。
【発明の詳細な説明】
【技術分野】
【０００１】
本発明は、例えば3GPP Long Term Evolusion（LTE（ロングタームエボリューション））および3GPP LTE-A標準グループに基づくシステムにおける無線通信方法に関し、より特別には、端末が制御メッセージに誤って応答することを防止可能なメカニズムに関する。
【背景技術】
【０００２】
無線通信システムは広く知られており、このシステムにおいては、基地局（BS）が「セル」を形成し、BSの範囲内で、端末（ユーザ機器（UE）または移動局とも呼ばれる）と通信する。
【０００３】
そのようなシステムにおいては、各BSは所与のセルにおいて利用可能な帯域、つまり、周波数および時間リソースを、BSがサービスを提供するユーザ機器に対する個々のリソース割り当てに分割する。UEは一般的には可動であり、従ってセル間を移動でき、隣接するセルの基地局間の無線通信リンクのハンドオーバーに対する必要性を誘発する。UEは幾つかのセルの範囲に同時に存在することができる（つまり、幾つかのセルから同時に信号を検出可能）。最も簡単なケースでは、LTEを例として使用すると、UEは一つの「サービング」または「プライマリ」セル（PCell）と通信し、無線通信に必要な時間および周波数リソースを、専らそのPCellに依存する。しかし、UEが利用可能なリソースを増やすためにPCellと、一つ以上のセカンダリセル（SCell）との両者と通信するようにUEを構成可能である。SCellは、キャリアアグリゲーション（下記を参照）を使用して、PCellとは異なるキャリア周波数で提供される。
【０００４】
UEが通信のために所与のセルの使用を開始するとき、何れの他のUEによりすでに使用されているかいないかに拘わらず、そのセルがそのUEに対して「起動された」という。UEに対して起動（または起動を停止）できるセルのセットは、システムにより構成される。通常はすべてのセルが、LTEにおけるエンハンストNodeB（eNB）のような、局所制御ノード（または、緊密に協働作業をする、複数のそのようなノード）により管理される必要がある。
【０００５】
キャリアアグリゲーション（Carrier Aggregation:CA）
UEが利用可能なリソースを増やす技術には、LTE Release 10以来3GPPに導入された、いわゆるキャリアアグリゲーション（Carrier Aggregation:CA）が含まれる（ちなみに、LTE Release 10および、より上位のReleaseは、LTE-Advanced（LTE-A（LTE-アドバンスト））とも称される）。LTEに適用されるようなCAの詳細は、3GPP標準TS36.300に記載されており、その詳細はここにおいて参照文献として組み込まれる。CAにおいては、異なるキャリア周波数における二つ以上のコンポーネントキャリア（Component Carrier:CC）が、100MHz（それぞれが、20MHzまでのキャリア周波数のあたりの帯域を有している最大五つのCCにより構成される）までの、より広い送信帯域をサポートするためにアグリゲート（集約）される。UEは、自身の能力により、一つまたは複数のCC上で同時に受信または送信できる。「CC」と「キャリア」という用語は、以降は交換可能に使用される。
【０００６】
図１は、既知のLTEシステム（記述される本発明の実施の形態にも適用可能）の例を示しており、このシステムにおいては、UE１はキャリアアグリゲーションを使用し、eNB１１は、キャリア周波数f1,f2,...fnにおいてセルを制御する。このケースにおいて各セルは、各セルに対するアップリンクとダウンリンクが同じ周波数である、時分割複信（TDD）動作により、異なる基地局２１、２２、．．．２ｎによりサポートされるように示されている。ここでの基地局はすべて、一つのeNBにより制御されている。他の配置オプションとしては、すべてのセルが、eNBと共置できる、または、eNBの一部として含めることができる単一の基地局によりサポートされるケースが含まれる。下記では「基地局機器」という用語は、上記の単一の基地局、および非LTEシステムにおける等価な装置と共に、eNBの制御下にある別個の基地局を伴う、または伴わないeNBを表すために使用される。
【０００７】
一般的には、一つのCCは一つのセルに対応し、セルと同様に、UEによる通信に使用される各CCは、そのUEに対して「起動される」。SCellは、起動および起動を停止できるが、PCellは、起動を停止することはできない。前述したように、「起動された」CCと「構成された」CCとの間には区別があるということには留意すべきである。CCはUEに対して構成できるが、任意の所与の時間においては、必ずしも起動されるとは限らない。起動されるCCの数は、UEの要請に適合可能であるが、数十または数百のサブフレームのタイムスケールにおいてのみである。UEに対して構成されたCCにおける変化は、さらに長いタイムスケールにおいて起こる。
【０００８】
周波数分割複信（FDD）動作においては、PCellは、異なる周波数における対応するダウンリンクキャリアとアップリンクキャリアを有している。これらのキャリアはそれぞれ、ダウンリンクプライマリコンポーネントキャリア（Downlink Primary Component Carrier:DL PCC）およびアップリンクプライマリコンポーネントキャリア（Uplink Primary Component Carrier:UL PCC）と記述可能である。SCellはダウンリンクキャリアを有しており、アップリンクキャリアもまた有することができる。ちなみに、異なるキャリア周波数は、常に異なるセルを意味するが、その逆は、必ずしも正しいとは限らない。単一のキャリア周波数は、一つ以上のセルをサポート可能である。
【０００９】
従って、CAを使用するUEは、それぞれが各CCに対するものである複数のサービングセルを有することができ、図１において例示されているように、異なるキャリア周波数を有する可能性があると共に、セルは異なる帯域を有することができる。一般的に各セルは、単一のサイトの基地局アンテナにより提供されるが、これは、一つのセルが、異なるサイトにおけるアンテナにより提供されるという可能性を排除するものではない。
【００１０】
フレーム構造
LTEのような無線通信システムにおいては、ダウンリンク上での送信のためのデータは、それぞれが多数のサブフレームに分割されたOFDMAフレームにおいて編成される。種々のフレームタイプが可能であり、例えば、FDDとTDDとの間で異なっている。LTEに対する一般的なフレーム構造においては、10msのフレーム持続時間は、0.5msの等しいサイズの20のスロットに分割される。サブフレーム（または、送信時間間隔）は二つの連続するスロットから構成されているので、一つの無線フレームは、10個のサブフレームを含んでいる。
【００１１】
各サブフレームに対して、新しいスケジューリング決定が、サブフレームの間に、何れのUEが何れの時間／周波数リソースに割り当てられるかについて行われる。スケジューリング決定は、異なるＵＥの無線リンク品質状況、全体の干渉状況、Quality of Service（QoS）必要条件、サービスプライオリティなどを考慮するスケジューリングアルゴリズムを使用して、eNBにおいて行われる。eNBは、そのスケジューリング決定を、下記に説明するような、いわゆるダウンリンク制御情報（DCI）を含む制御メッセージを送ることにより各UEに通知する。
【００１２】
チャネル
LTEにおいては、データおよび制御信号通知のための幾つかのチャネルが、システム内の種々の抽象化レベルにおいて定義される。図２は、論理レベル、トランスポート層レベル、および物理層レベルのそれぞれにおいて、LTEで定義されたチャネルの幾つかと、それらのチャネル間のマッピングを示している。現在の目的のためには、物理層レベルにおけるチャネルが最も注目される。
【００１３】
ダウンリンク上においては、ユーザデータは物理ダウンリンク共有チャネル（Physical Downlink Shared Channel:PDSCH）上で搬送される。ダウンリンク上には、いわゆる無線リソース制御（Radio Resource Control:RRC）や、無線リソース管理（RRM）の一部として使用されるプロトコルを含む、種々の目的のための信号通知を搬送する種々の制御チャネルがある。RRCのような、ダウンリンクにおける、より上位の層の信号通知は、典型的にはPDSCH上で搬送される。ダウンリンク物理層信号通知は、物理ダウンリンク制御チャネル（Physical Downlink Control Channel:PDCCH）またはエンハンスト（Enhanced）PDCCH（EPDCCH）（下記参照）により搬送される。
【００１４】
一方、アップリンク上では、ユーザデータ、および信号通知データの幾つかもまた、物理アップリンク共有チャネル（Physical Uplink Shared Channel:PUSCH）上で搬送される。PUSCH上での周波数ホッピングにより、周波数ダイバーシティ効果を利用可能であり、干渉を平均化可能である。制御チャネルには、例えば、チャネル品質表示（CQI）報告により表現されるチャネル状態情報（CSI）と、スケジューリング要求を含む信号通知をUEから搬送するために使用される物理アップリンク制御チャネル（Physical Uplink Control Channel:PUCCH）が含まれる。PUCCHが別に送信されるときに、もしPUSCH送信が起きると、PUCCH上で搬送される制御情報は、ユーザデータと共にPUSCH上で送信できる。同じUEからの、PUCCHとPUSCHの同時送信は、より上位の層により可能とされればサポートできる。
【００１５】
一般的に言えば、上記のチャネルはそれぞれサブフレーム単位で送信できる。つまり、上記のチャネルは、幾つかの、またはすべてのサブフレームにおいて起こり得、自身が送信される各サブフレームにおいて、異なる信号通知データを搬送できる。
【００１６】
ACK/NACK及びACK/NACKコードブック
UEと基地局との間の送信は、干渉のために送信エラーを起こし易いので、アップリンクおよびダウンリンク方向に送られた各パケットに対して、受信器により確認応答する手順が利用可能である。これは、ハイブリッド自動再送要求（Hybrid Automatic Repeat Request:HARQ）確認応答または否定的確認応答（ACK/NACK）を、制御チャネル上で送ることにより行われる。ダウンリンク上では、ACK/NACKは物理HARQインディケータチャネル（Pysical HARQ Indicator Channel:PHICH）上で送られる。アップリンク上では、ACK/NACKはPUCCH上で送られる（または、ユーザデータと共に、PUSCH上で送ることができる）。ACK/NACKの目的は、eNBに、各パケット（トランスポートブロック）が、UEにより受信されたかどうかを通知することであるということが分かるであろう。もちろん、パケットの受信は、通常は、DCIのような種々の制御メッセージを含むパケットのコンテンツの受信もまた意味する。ACK/NACKに対する従来の報告手順は、3GPP TS36.213に定義されており、これもまた参照文献として組み込まれる。本発明の実施の形態を理解するために重要な一つの概念は、「ACK/NACKコードブック」（または、等価的に「HARQ ACK」コードブック）である。この用語は、3GPPにおいて、チャネルコーディングが適用される前に、ACK/NACK報告手順においてUEにより送信される情報ビット数を示すために使用される。最も簡単なケースにおいては、すべての情報ビットはACK/NACKビット（または、等価的にHARQ ACKビット）である。
【００１７】
ACK/NACKコードブックは、各記載事項が、受信したデータコードワードに対するACKおよびNACKの可能な配置に対応している表と見なすことが可能である。二つのデータコードワードが送信／受信され、ACK/NACKのすべての可能な値が、組み合わせにおいて可能とされる簡単な例においては、「コードブック」は、次のようなものとなる。
【表１】
2017028683.tif 000003
上記の例においては、コードブックの「サイズ」は、ACK/NACKビット数（たまたま、データコードワード数と同じ）である。
【００１８】
PDCCHおよびDCI
LTEにおいては、DLおよびULトラフィックチャネルが動的に共有されるチャネルであるため、DLとULの両者は、完全にスケジューリングされる。これは、PDCCHが典型的には、何れのユーザが、各サブフレームにおいて物理DL共有チャネル（PDSCH）を復号化すべきか、および何れのユーザが、各サブフレームにおいて物理UL共有チャネル（PUSCH）上での送信を可能とされるかを示すためのスケジューリング情報を含む制御メッセージを提供することを意味する。特に、PDCCHは、上記のダウンリンク制御情報（DCI）を、eNBから個々のUEに搬送するために使用される。従来は、一つのPDCCHメッセージ（後で言及される「制御メッセージ」の例）は、DCIの一つのアイテム（便利なように、下記においては「一つのDCI」と称する）を含んでいた。各DCIは、UEに対して起動された特定のCCを示し、UEは、DCIが何れのCCを示しているのかを、DCIが送られるCCから非明示的に、または、DCI内の信号通知ビットにより明示的に決定可能である。
【００１９】
このDCIは、一つの個々のUEに対して向けられることがよくあるが、幾つかのメッセージもまたブロードキャストされる（例えば、セル内の複数のUEに対して向けられる）。このため、PDCCHはまた、送信電力制御（Transmit Power Control:TPC）コマンドのような、UEのグループに対して向けられる情報も含むことが可能である。加えて、PDCCHは、半固定スケジュール（SPS）を構成するために使用可能であり、同じリソースを定期的に利用可能である。下記においては、PDCCH、PDCCHメッセージ、DCI、及びDCIメッセージという用語は、状況により特に要請されない限り、交換可能に使用される。
【００２０】
このため、DCIは、下記で言及される「制御メッセージ」の一つの重要なタイプのコンテンツである。制御メッセージという用語は、PDCCH上で搬送されようと、他の方法（例えば、PDCCHと多くの類似性を有し、PDCCHの説明の多くもまた適用される、下記で記述されるEPDCCHを介して）であろうと、UEへの制御信号通知を表すために使用される。
【００２１】
巡回冗長検査（CRC）は、DCIのエラー検出のために使用される。PDCCH全体のペイロード（パディングのような、如何なる他のビットをも含む）は、CRCパリティビットのセットを計算するために使用され、そのセットは、PDCCHペイロードの最後に添付される。異なるUEに関連する複数のPDCCHは、一つのサブフレームにおいて存在可能であるので、CRCはまた、所与のPDCCHが、どのUEと関連しているかを特定するためにも使用される。これは、CRCパリティビットを、UEの無線ネットワーク一時識別子（RNTI）でスクランブルすることで行われる。種々の種類のRNTIがLTEにおいて定義されている。一つの例としてC-RNTIは、所与のUEがセルとのネットワークアクセス手順を行うことによりネットワークに接続することに成功した後に、UEがその特別なセルにいる間に、そのUEにより使用される。
【００２２】
このため、対応するPDCCHコードワードに対するCRCが正しい場合は、UEは適切なRNTIによるスクランブリングを考慮して、DCIメッセージを検出することに成功した考えることが可能である。DCIメッセージが正しく受信、または正しく受信されなかったどうかを、そしてこれに相応して、DCIメッセージが「検出された」と考えるべきか否かをUEが決定するための追加的な方法があり得るということは留意されるべきである。例えば、DL割り当てが、起動されていなキャリアに対して受信された場合、このDCIは、正しく受信されなかったと考えるべきであり、廃棄する。所与のPDCCHは、多数の所与の位置（すべての可能な位置の予め決定されているサブセットを備える検索空間）の何れか一つにおいて送信できる。UEは、検索空間内の各可能な位置におけるPDCCHのブラインド復号化を試みる。
【００２３】
メッセージの異なるタイプはそれぞれ、異なるDCIフォーマットを使用して搬送される。多くのPDCCHメッセージはそれぞれが、一つの特定のUEによってのみ受信されることが意図され、他のメッセージは、二つ以上のUEに対して向けられる。DCIのサイズは多数のファクタにより決まり、そのため、RRC構成、またはPDCCHにより占有されるシンボルの数を信号通知するための別の手段により、UEがDCIのサイズを知っておく必要がある。すでに記述したように、複数のUEのスケジューリングを同じサブフレーム内で行うことが可能であるため、従来は、複数のDCIメッセージは複数のPDCCHを使用して送られていた。
【００２４】
使用されるフォーマットは、制御メッセージの目的により決まる。例えば、DCIフォーマット１は、空間多重化が使用されないとき（つまり、スケジューリング情報が、一つの空間層のみを使用して送信される一つのコードワードに対して提供されるとき）は、ダウンリンク共有チャネルリソースの割り当てのために使用される。提供される情報により、UEがリソースを識別し、そのサブフレームにおいてPDSCHをどこで受信すべきか、およびどのようにPDSCHを復号すべきかを識別することが可能となる。この種のDCIは、下記では「DL割り当て」と称され、本発明に特別に関連している。リソースブロック割り当てに加えて、これはまた、変調および符号化方式についての情報と、非受信データの再送信を管理するために使用されるハイブリッドARQプロトコルに関連する情報も含んでいる。DCIの別のタイプはアップリンクグラントであり、アップリンクグラントはUEに、PUSCHを使用してアップリンク上で送信するための許可を与える。
【００２５】
EPDCCH
LTE-Aにおいては、新たしい制御チャネル設計（EPDCCH）が提供され、EPDCCHはリソースを使用して、ダウンリンクデータと類似の方法でDCIメッセージを送信する（つまり、PDSCHと同様）。EPDCCHは、システムの必要条件により、周波数局在化または周波数分散型の方法の何れかにおいて送信できる。局在化送信は、チャネル／干渉特性が周波数選択性のときは適切であり、その場合は、DCIメッセージを所与のUEに対して、周波数ドメインにおける好ましい位置において送信可能である。他の場合は、例えば、eNBにおいて周波数選択性チャネル情報が利用可能でないときは、分散型送信（PDCCHの送信方法に対応する）が適切である。
【００２６】
分散型EPDCCHに対する設計は、多くの点に関してPDCCHに類似している。つまり、幾つかのリソースが分散型EPDCCHに対して構成され、UEは、それらのリソース内にブラインド復号化検索空間を有し、所与のDCIメッセージは、周波数ドメイン全体にわたって所与の広がりを有するリソースのセットを使用する。
【００２７】
CAにおけるチャネル
LTEにおいて定義されている、より重要なチャネルの幾つかの概要を記述したので、ここでは図３を使用して、CAのシナリオにおけるセル／CCとの関係を記述可能である。
【００２８】
図３に示されているように、PCell（DL PCC）は、UEにPDCCHを送信可能である。SCellはUEの機能により、対応するDL SCC上で、UEにPDCCHを提供できる（または提供しなくてもよい）。しかし、PUSCH上のアップリンクデータは、必要な機能を有するUEによりPCellとSCellの両者上で送信可能である。これに相応して、各セルに対して、別個のトランスポートチャネルUL-SCHがある。Release 11を含むRelease 11までのLTEに対しては、アップリンク制御チャネル（PUCCH）は、PCell（UL PCC）上で送信されるだけである。同様に、スケジューリング要求に対するPRACHは、PCell上で送信されるだけである。しかし、これらの制限は、将来のReleaseにおいては適用されないであろう。
【００２９】
SCellが、UEに対してPDCCHを搬送するようには構成されていないときは、これは、そのセルに対するスケジューリング情報は、別のセル（通常は、PCell）のPDCCHにおいて搬送しなければならないこと、いわゆるクロスキャリアスケジューリングを意味する。PCellとSCellは、同一または非常に類似する送信タイミングを有するべきで、それにより例えば、一つのセル上のPDCCHが、異なるセル上のリソースのスケジューリングを行うこと、およびSCell上のPDSCH送信に対するACK/NACKをPCell上で送ることが可能になる。SCellは、セルが異なる地理的サイトにおけるアンテナによりサポートされる可能性を可能にするために、UEにおいてわずかに異なる送信タイミングを有することができる。PCell上のPUCCHとSCell上のPDSCHとの間の厳しいタイミング同期必要条件のため、PCellとSCellは、同じeNBにより制御されると仮定することが可能である。
【００３０】
ダウンリンク割り当てインデックス（DAI）
CAは、FDD（少なくともPCellが、異なるキャリア周波数上でダウンリンクとアップリンクを有しているが、SCellは、使用されているダウンリンクまたはアップリンクのみしか有することができない）とTDD（PCellまたはSCellに対するアップリンクおよびダウンリンクが同じキャリア周波数上にある）の両者に対して構成可能である。LTE TDDにおいては、二つ以上のサブフレームにおいて受信されたコードワードに対するACK/NACKは、同じアップリンクメッセージにおいて（従って、単一サブフレーム内で）送ることが可能である。これは、一つのサブフレームにおいて、UEに対して構成されるCCの数に従って固定されている、利用可能なビットの総数を超える数の送るべきACK/NACKがあることが可能であることを意味している。
【００３１】
そのような場合においては、いわゆるダウンリンク割り当てインデックス（DAI）を、ACK/NACKの「バンドリング」に対して使用でき、所与のACK/NACKビットは、複数のコードワードが正しく受信されたこと（または、されなかったこと）、そしてそれにより、それらのコードワードに含まれる（例えば）何れのDCIも正しく受信されたこと（または、されなかったこと）を示すために使用さる。共通のACK/NACKコードブックを使用することにより、UEとeNBは、このバンドリングがどのように行われたかについての理解を共有することになり、それにより、eNBは、何れのトランスポートブロック（および、対応するDCI）が、各ビットにより確認応答されているかを知る。従来は、何れのCCが実際に使用されているかに拘わりなく、すべての構成されたCCに対するACK/NACKを可能にする方法でバンドリングが行われていた。このバンドリング手順が有益となるためには、PDSCH上のデータパケットが正しく受信されない確率が十分に低くなくてはならない（例えば、10％以下）ということが分かるであろう。
【００３２】
TDDにおいては、CCに対するDL割り当て（DCI）は典型的には、２ビットのDAIフィールドを含んでおり（3GPP TS 36.213、第7.3．2.1節、TDD HARQ-ACK reporting procedure for same UL/DL configuration（同じUL/DL構成に対するTDD HARQ-ACK報告手順）参照）、このDAIフィールドは、そのCCに対して送信された連続するDCIに対して増加される。DAIのこの増加は、何れかのDCIが紛失したかどうかをUEが検出することを支援する（つまり、所与のDCIに対するDAIフィールドが、そのキャリアに対する前のDCIメッセージと比較して、予期される量を超えて増加されていた場合は、UEは、少なくとも一つの介在するDCIメッセージが紛失したこと、または他の種類のエラーが起きたことを推測可能である）。UEが、順序が違うDAIを有するDCIを検出した場合は、UEは、少なくとも一つのDCIメッセージが紛失したこと、またはDCIメッセージが誤って検出されたことを知る。これによりUEが、対応するACK/NACK送信を破棄することを可能にし、eNBが、ACK/NACKバンドルを誤って解釈することを回避する。これは、LTEにおいて現在指定されている動作である。代替的に、DL割り当ての一つ以上が紛失した場合でも、UEは、紛失したDCIに対応するACK/NACKビットを「NACK」に設定可能である。バンドリングの後、ACK/NACKの各ビットは二つ以上のトランスポートブロックを示し、それにより、一つのトランスポートブロックがエラー受信された場合（または、対応するDCIが紛失した場合）は、たとえ、他のトランスポートブロックが正しく受信されたとしても、対応するビットをNACKに設定すべきであるということが分かるであろう。
【００３３】
DCIに含まれることに加えて、DAIは、ULグラントにおいて搬送することも可能であり、これによりロバスト性が追加される。
【００３４】
LTE FDDにおいては、データが受信されるサブフレームと、ACK/NACKが送信されるサブフレームとの間の１対１マッピングがあるため、現在は、DAIを採用する必要はない。しかし、この制限が将来適用されなくなった場合は、DAIもまたTDDと類似の方法でFDDに対して適用可能である。
【００３５】
上記のことをまとめると、LTE-Aにおいては、二つのダウンリンク制御チャネル（PDCCHとEPDCCH）が定義され、UEに制御メッセージを送信するために使用可能である。典型的には、制御メッセージはDCI（Downlink Control Information（ダウンリンク制御情報））を含み、リソースおよび、PDSCH上のネットワークからのダウンリンクデータ送信（「DL割り当て」）、または、PUSCＨ上でUEにより行うことが可能なアップリンクデータ送信に関する他の情報を示すために使用される。通常は、一つのDCIは、一つのUE、一つのキャリア周波数、および一つのサブフレームに関連する。
【００３６】
典型的には、UEは、すべてのダウンリンクサブフレームにおいて、多数の異なる候補メッセージを受信することを試みるように構成されており、この異なる候補メッセージは制御チャネル上で送信でき、通常は、各候補は異なる制御チャネルリソースと関連付けられている。UEは、CRCをチェックし、特別なアイデンティティの表示（例えば、CRNTIの特定の値）の存在により、受信者が意図された受信者であることを確認することにより、メッセージ（コードワード）の正しい受信を検出可能である。UEが、メッセージに含まれているアップリンクグラントを検出した場合は、UEは、PUSCH上の対応する送信を行う。UEがダウンリンク割り当てを検出した場合は、UEは、PDSCH上の対応するダウンリンク送信を復号化することを試み、適切なようにACKまたはNACKを、典型的にはアップリンク制御チャネル（PUCCH）上で送る。PUSCHがアップリンク上で送信される場合は、ACK/NACKもまた、PUCCHではなく、PUSCH上で送ることができる。
【００３７】
キャリアアグリゲーション（CA）においては、異なる周波数において複数のキャリアを端末に対して構成でき（より上位レベルのRRC信号通知を介して）、これらのキャリアは、より上位のMAC信号通知により起動、または起動を停止できる。従って、各起動されたキャリアに対して、制御メッセージ候補のセットを検索することをUEに要求できる。一つのキャリアは固定的に起動され（プライマリセル、PCell）、他の構成されたキャリアは起動、または起動を停止することができる（セカンダリセル、SCell）。LTEにおいては、PCellおよびSCellは同じeNBにより制御され、リソースは同じeNBによりスケジューリングされる。多入力多出力（multiple input multiple output:MIMO）アンテナ技術を使用して、二つ以上のデータコードワードをUEに、同じ時間／周波数リソースを使用して送るために空間多重化を使用可能である。LTEにおいては、コードワードが空間多重化、または複数のキャリア上、またはその両者で送られたとしても、同時に（同じサブフレームで）受信された複数のコードワードに対する複数のACK/NACKを、同じアップリンクメッセージにおいて送信可能である。
【００３８】
所与のサブフレームにおけるPDSCH送信を示す複数のDL割り当ての場合、UEは、PCell上で対応するACK/NACKを送信することにより、受信に対して確認応答する。一つのサブフレーム当たりに生成されるACK/NACKビットの数は、構成されたCCの数、および、各CC上で同時に受信できるトランスポートブロック（つまり、データコードワードまたはパケット）の最大数に従って固定されている。LTEにおいて現在では、所与のメッセージフォーマットを使用して送信されるACK/NACKビットの数は、UEに対して起動されたCCの数、または受信されたコードワードの数により決まることはないが、そのような可能性が3GPPにより考察された。
【００３９】
LTEにおけるダウンリンク制御メッセージ（それらのスケジューリングダウンリンク送信のようなもの）は、DCI（Downlink Control Information（ダウンリンク制御情報））を含んでいると考えられる。所与のキャリアに対するリソースのDCIスケジューリングは、同じキャリア上（「セルフスケジューリング」）、または異なるキャリア上（「クロスキャリアスケジューリング」）で送信できる。LTEにおいては、UEがDCIメッセージを紛失する（つまり、そのUEに向けられたDCIメッセージの検出および復号化に失敗する）確率が相当に高いということに留意されたい。
【００４０】
LTE TDDにおいては、二つ以上のサブフレームにおいて受信されたコードワードに対するACK/NACKは、同じアップリンクメッセージにおいて送ることが可能である。これは、起動または構成されたCC上で送ることが可能なトランスポートブロックの数に対応する、利用可能なビットの総数よりも多くの、一つのサブフレームにおいて送るべきACK/NACKがあることが可能であることを意味している。そのような場合においては、いわゆるダウンリンク割り当て情報（DAI）を、ACK/NACKの「バンドリング」に使用でき、所与のACK/NACKビットが、複数のコードワードの正しい受信（または正しくない受信）を示すために使用される。
【００４１】
２ビットのDAIフィールドに対しては、各連続するDCIに対して増加されるカウンタとして操作され、そして、最大三つの連続する紛失DCIメッセージが正しく検出可能である（つまり、紛失メッセージがあるという事実、および最大三つまでの紛失メッセージの数を決定可能である）。DL割り当てのシーケンスにおける最後のDCIが紛失した場合は潜在的な不明確さが知られているが、それは、この紛失が（ULグラントにおけるDAIのような追加的情報がない場合は）DL割り当てにおけるDCIのシーケンスを調べることによっては検出することが可能でないためである。これは、UEが起動されたCCに対するDCIを予期するだけで、すべての起動されたCCが、すべてのサブフレームにおいてDCIを有するわけではないからである（例えば、UEへの送信のためのデータの一時的な不足がある場合）。
【００４２】
3GPP RAN1は現在、サポートされるキャリアの最大数が5から32に増加されるCAの拡張を検討中である。
【００４３】
PDSCHがUEに送信される各CCに対しては、各DL割り当ては対応するDCIメッセージにより示される。多数の構成されたCC（つまり、六つ以上のCC）に対しては、過剰な送信オーバーヘッドを回避するために、実際に送信されるACK/NACKビット数は、UEに対して構成されたCCの数（これは、最大5CCまでの現在のケース）ではなく、DL割り当てを含むDCIメッセージの数（つまり、実際に使用されるCCの数）に基づくことが望ましい。
【００４４】
しかし、六つ以上のCCに対して典型的に考えられるソリューションに対しては、eNBが、UE ACK／NACK送信を正しく解釈することを可能にするために、eNBとUEの両者が、送信されたDCIの数（これは、UEにより検出されたDCI数とは異なる可能性がある）についての同じ理解を有することが好ましい。DCIメッセージの紛失の確率に対する設計目標は1％未満であるが、幾つかの場合においては、その確率が、より高いこともあり得る。そのため特にDLにおいて、所与のUEに対して多数のCCが使用されるときは、対応するDCIメッセージの少なくとも一つが所与のサブフレームにおいて紛失する確率は、かなり大きくなる可能性がある。ACK/NACKビット（少なくとも、少数のCCより多いCCに対するACK/NACKビット）は単一のメッセージにおいて送られるので、DCIの紛失が検出されない場合は、これはACK/NACKビットの多くまたはすべての正しくない受信、または誤った解釈という結果になる可能性がある。その結果これは、正しく受信されたDCIを有するCCに対してさえ、これが要求されていないトランスポートブロックの再送信、またはそれが要求されているのに再送信されないということに繋がる可能性があり、データのスループットおよびシステムの性能に結果としての影響を与える。
【００４５】
eNBとUEの両者が、送信されるACK/NACKビットの数を知っているということに加えて、バンドリングの後に、ACKを示しているビットを、一つ以上の正しく受信されたトランスポートブロックに関連付ける（例えば、ACK/NACKメッセージにおける、対応する情報ビットへの正しいマッピングにより）こともまた必要である。これは、紛失したDCIの数と共に、紛失したDCIのアイデンティティに関する何らかの情報もまたUEにおいて必要であることを意味する。
【００４６】
送信すべきACK/NACKビットの数とアイデンティティについての、eNBとUEとの間の共通の理解を達成する問題に対する、現在までに提案されているソリューションは、下記を含む。
【００４７】
＊  UEによるACK/NACK報告の原則として、構成されたCCの数を使用する（現在のLTEにおける場合のように）。この数は、半静的RRC信号通知により変更可能であるが、ビデオなどを流し始めるときのような、UEの要請に起因するデータレートにおける速い変化に適合するために十分なほど速くはない。
【００４８】
＊  構成されたCCの数の代わりに、起動されたCCの数を使用する。これは、構成されたCCの数よりも、より速く変更可能（MAC信号通知を使用して）であるが、依然として、一つのサブフレームから次のサブフレームへ相当に変化する可能性のあるデータレートにおける変化に追従するのに十分なほどは速くはない。
【００４９】
＊  UEに、明示的な表示（例えば、所与のサブフレームにおいてDL割り当てを搬送するDCIを有するCCの数および／またはCCのアイデンティティ）を送る。これは、一つのサブフレーム当たりの特殊DCIメッセージ（例えば、使用されているCCのビットマップを有する）を使用して可能であるが、信号通知オーバーヘッドが増大する。
【００５０】
＊  UEに、送られるACK/NACKビットの数、および／または、使用されるメッセージフォーマットの明示的な表示を送る。これは、一つのサブフレーム当たりの特殊DCIメッセージを使用して行うことが可能であるが、これもまた信号通知オーバーヘッドを増大する。
【００５１】
単一のサブフレームにおいて、ACK/NACKを複数のサブフレームから送るときに適用されるようなDAIメカニズムを適合して、それを、CAでの周波数ドメインにおけるDL割り当てのシーケンスに直接適用して、UEが、送られるACK/NACKビットの数を決定するときに、紛失したDCIメッセージを検出して考慮することを可能にする。
【００５２】
上記のソリューションのうち欠点がないものは一つもない。従って、CAにおける使用のために、現在のDAIの方式を改良する必要がある。より一般的には、制御メッセージのシーケンス内で一つ以上の制御メッセージが紛失しているということを端末が検出し、その旨を基地局に通知し、および／または、適切なUEの動作を可能にするために端末の機能を改良する必要がある。
【発明の概要】
【００５３】
本発明の第１態様によれば、無線通信方法が提供され、無線通信方法は、
送信器において、
少なくとも一つの基準を満たし、シーケンスにおける受信器への送信のための制御メッセージの数を決定し、
シーケンス番号をシーケンスにおける各制御メッセージと関連付け、シーケンスにおける少なくとも一つの制御メッセージのシーケンス番号は、制御チャネルメッセージ数の一つ以上の受信の結果として、受信器から送信される確認応答の数に適用される制約に依存し、
決定された制御メッセージ数と、関連付けられたシーケンス番号を送信し、
受信器において、
制御メッセージおよび関連付けられたシーケンス番号の一つ以上を受信し、
受信した制御メッセージに対応して送信される応答確認の数を決定し、
決定された応答確認の数を受信器から送信すること、を含み、
送信される確認応答の数を決定することは、シーケンス番号と、送信される確認応答の数に適用される制約に応じて決定される。
【００５４】
ここで、「制御メッセージ」はまた、それらがLTEにおけるPDCCHまたはEPDCCHのような制御チャネル上で送信できるので、制御チャネルメッセージと称することもできる。
【００５５】
「少なくとも一つの基準を満たす」ことにより、制御メッセージは何らかの共通の特性を有することになり、従って、例えばダウンリンク制御情報のような特別なタイプの制御メッセージとして、本発明の目的のために一緒に考えることが可能である。制御メッセージは通常は何らかの方法で、例えば、周波数および／または時間に関して互いに隣接することにより順序よく整理されている。制御メッセージのシーケンスは受信器に送信される。
【００５６】
ここにおける「関連付けられる」とは、シーケンス番号もまた受信器に送信されることを意味し、これは通常は、必ずしもそうではないが（または、必ずしも排他的ではないが）、制御メッセージに添付されることにより送信される。
【００５７】
「シーケンス番号」は、連続する制御メッセージ間で異なることにより（異なる値を取ることにより）、シーケンス内の制御メッセージの位置の表示を提供する。
【００５８】
「制約」は、確認応答の可能な数を、可能な値のセットの一つに制限し、制約の一つの形式は、下記に言及する「精度(granularity)」に対応する。言い換えれば、この場合に対しては、確認応答の数は精度に基づいて「切り上げられ」、これは、受信器と送信器が、確認応答の数（ACK/NACKビット数）についての同じ理解を、より信頼性を有して達成することを意味する。そのような制約を考える代替的な方法は、シーケンスにおける制御メッセージの最大数として考えることである。
【００５９】
「受信された制御メッセージに対応して送信される確認応答」は、制御メッセージ自身に直接応答するACK/NACKであってよい。代替的に確認応答は、制御メッセージによりスケジューリングされたデータの復号によりもたらされる。
【００６０】
好ましくは、受信器は複数のキャリア（CC）を介して無線通信に対して構成され、各制御メッセージはそれぞれのキャリアに関する。
【００６１】
好ましくは、関連付けにおいては、シーケンスにおいて連続する制御メッセージと関連付けられるシーケンス番号は、上記の制約に応じた量だけ増加される。このようにして、計数のための増分は、コードブックサイズについての情報を与える。幾つかの実施の形態においては、モジュロ演算の使用によりこの条件を、連続するシーケンス番号が増加されるか減少されるかということと等価にする。
【００６２】
これもまた好ましいことであるが、関連付けにおいては、シーケンスにおいて連続する制御メッセージと関連付けられるシーケンス番号は、シーケンスにおける制御メッセージの総数により決まる。
【００６３】
上記の制約は、送信される確認応答の数が、N（「精度」）が2、4または8である場合の、Nの倍数である制御チャネルの数に対応するということであってよい。
【００６４】
この決定は、下記の基準の何れの一つ以上を満たす制御メッセージを決定することを含むことができ、下記の基準とは、
定義された時間ウインドウ内に送信されること、
定義された時間ウインドウ内に受信されること、
ダウンリンクスケジューリングに対してであること、
特定のメッセージフォーマットで送信されること、
特定のチャネルを介して送信されること、
である。
【００６５】
制御メッセージが、ダウンリンクスケジューリングに対してである場合であって、無線通信のスケジューリングが、それぞれが一続きのサブフレームから構成されているフレーム内で行われるときは、ダウンリンクスケジューリングは、好ましくは、同じサブフレームに関する。
【００６６】
上記に定義したような何れの方法においても、各シーケンスにおいて、各シーケンスの連続する制御メッセージは、周波数ドメインにおいて連続であってよい。
【００６７】
方法の一つの実施の形態においては、上記の制約は、送信される確認応答の数が、Aを1、2、3、または4、Bを2または4、そしてNを0以上の整数とした場合の、A+BNに等しい制御メッセージの数に対応するということである。
【００６８】
一つの実施の形態においては、第１および第２シーケンス番号の数列(numerical progression)は、
SQI(i)＝f(i,c) mod n
で与えられ、ここにおいて
SQIは、シーケンス番号における数値であり、
iは、制御メッセージのシーケンスにおける制御メッセージを識別し、
cは、シーケンスにおける制御メッセージの総数であり、
f(i,c)は、iとcとの関数であり、
nは、シーケンス番号において可能な、異なる数値の数である。
【００６９】
上記に言及したような何れの方法も、受信器において、
制御メッセージおよび関連付けられているシーケンス番号を送信器から受信し、
シーケンス番号に基づいて、シーケンスにおける少なくとも一つの制御メッセージが紛失したかどうか、および幾つの制御メッセージが紛失したかについて決定し、
この決定を送信器に通知する、ことをさらに含む。
【００７０】
さらなる実施の形態においては、受信ステップにおいて、一つの制御メッセージしか受信されない場合は、受信器は上記の決定および送信ステップを、１または２ビットの特定の確認応答メッセージを送信することと入れ替える。
【００７１】
さらなる実施の形態においては、受信器が正しくない確認応答メッセージを送信する確率を下げるために、受信器により仮定または推定される紛失制御メッセージの数が閾値を超える場合は、確認応答メッセージは送られない。閾値は、予め決定することができ、送信器からの信号通知により構成でき、構成または起動されたキャリアの数により非明示的に決定でき（例えば、大きなキャリアの数に対しては、より大きな閾値が決定される）、成功を示す確認応答（ACK）の数または割合により非明示的に決定でき、または、検出された制御メッセージの数により非明示的に決定できる（例えば、検出された制御メッセージの数が多いほど、より大きな閾値が決定される）。
【００７２】
上記に言及した何れの方法も、LTEに基づく無線通信システムに適用できる。この場合、送信器は基地局であってよく、受信器は、LTEに基づく無線通信システムにおける端末であってよい。制御メッセージはダウンリンク制御情報（DCI）であってよく、シーケンス番号はダウンリンク割り当てインデックス（DAI）であってよい。
【００７３】
特に、本発明の実施の形態は、LTE TDDに有利に適用できる。しかし、本発明の実施の形態は、LTE FDDまたは混合TDD/FDD実現形態に適用できるとも考えられる。
【００７４】
本発明の実施の形態は、シーケンスにおける制御メッセージの総数が送信器において予め分かっている場合に、制御メッセージのシーケンスを送信し、複数の可能なシーケンス番号からのシーケンス番号を、制御メッセージのシーケンスのそれぞれと関連付けるという考えに基づいている。実施の形態は、ACK/NACKコードブックのサイズ（例えば、「精度」の形式におけるサイズ）に対する制約、または代替的に、制御メッセージ数の概念を採用している。ACK/NACKコードブックのサイズは、各制御メッセージが、ACK/NACKビットの同じ数に関連付けられているという仮定のもとでは、実際には等価であってよいということに留意されたい。そのような制約または精度は、ACK/NACKコードブックサイズ（制御メッセージ数）が、固定値（実施の形態により決まる）の予め決定された数の一つであることのみが可能であることを意味している。
【００７５】
より特別には、LTEのようなシステムにおいては、２ビットのシーケンス番号またはダウンリンク割り当てインディケータ（DAI）を、所与のサブフレームにおいて、幾つかの、またはすべての連続するキャリア周波数上で送信されるパケットに関するダウンリンク制御情報（DCI）メッセージに添付可能である。これは、パケットの受信に対して確認応答するために必要なACK/NACKビット数（ACK/NACKコードブックサイズ）を決定するために使用可能である。本発明の実施の形態によれば、受信器は受信したDAI値のシーケンスに従って、ACK/NACKコードブックサイズをある精度内に決定する。精度は予め決定すること、構成すること、またはシーケンスにより示すことができる。
【００７６】
本発明の第２態様によれば、無線通信システムにおける送信器が提供される。送信器は、
少なくとも一つの基準を満たし、シーケンスにおける受信器への送信のための制御メッセージの数を決定し、
シーケンス番号をシーケンスにおける各制御メッセージと関連付け、シーケンスにおける少なくとも一つの制御メッセージのシーケンス番号は、制御メッセージ数の一つ以上の受信の結果として、受信器から送信される確認応答の数に適用される制約により決定され、
決定された制御メッセージ数と、関連付けられたシーケンス番号を受信器に送信するように構成されている。
【００７７】
本発明の第３態様によれば、無線通信システムにおける受信器が提供される。受信器は、
送信器から制御メッセージ数の一つ以上を受信し、シーケンス番号は、シーケンスにおける各制御メッセージと関連付けられ、かつ、シーケンスにおける少なくとも一つの制御メッセージのシーケンス番号は、制御メッセージ数の一つ以上の受信の結果として、受信器から送信される確認応答の数に適用される制約により決定され、
シーケンス番号と、送信される確認応答の数に適用される制約に従って、受信した制御メッセージに対応して送信される確認応答の数を決定し、
決定した確認応答の数を送信するように構成されている。
【００７８】
本発明の第４態様によれば、上記に定義した送信器と受信器を備える無線通信システムが提供される。
【００７９】
さらなる態様は、プロセッサを搭載したトランシーバ機器が、上記に定義したような送信器（例えば、基地局）または受信器（例えば、端末）を提供することを可能にするソフトウェアに関する。そのようなソフトウェアは、コンピュータ読み取り可能媒体上に記録できる。
【００８０】
このため、本発明の実施の形態は、下記の特徴の一つ以上を含むことができる。
・  シーケンスにおける制御メッセージの総数が送信器において予め分かっている場合に、制御メッセージのシーケンスを送信すること、
・  送信された制御チャネルメッセージ（または、送信される確認応答の対応する数）に関して受信器が行うべき仮定を示すためにシーケンス番号が増加または減少されること。
【００８１】
すでに記述したように、上記の制御メッセージは、所与のサブフレームにおいて、幾つかの、またはすべての起動されたキャリア周波数上で送信されるパケットに関するダウンリンク制御情報（DCI）メッセージであってよく、連続する制御メッセージにおけるシーケンス番号は、ダウンリンク割り当てインディケータ（DAI）であってよい。このため、本発明の実施の形態は、LTEのようなシステムにおいて、例えば、２ビットのシーケンス番号の形式のDAIを、これらのDCIメッセージのそれぞれに添付することを含んでいる。２ビットのDAIは、何れの三つの連続するDCI（最後のDCIは含まない）の紛失を検出することを可能にする。先行技術に対する具体的な改良は、シーケンスにおける最後のDCIの三つまでの紛失を、これ以上のビットを追加することなく検出して補正することが可能であるということである。これにより、送信されたDCIメッセージの数と、対応するACK/NACK情報に関しての送信器（例えば、eNB）と受信器（例えば、UE）との間の、より正確且つ信頼性のある共通理解が可能になる。これは、DCIメッセージの検出に失敗する最も起こり易いケースが、受信器において識別可能で、送信器に通知可能で、補正可能であるので、例えば、DCIメッセージに関するACK/NACK情報の送信のフォーマットが、送信されるメッセージの数により決まる場合に有益である。
【００８２】
このようにして、LTEにおいてDCIに適用されると、本発明は、幾つのDCI（および対応するトランスポートブロック）が紛失したかについてのUEの認識を改良することにより、UEが、受信したDCIをより良好に使用することを可能にする。
【００８３】
一般的には、そして、反対の立場への明確な意図がない限り、本発明の一つの態様に関して記述された特徴は、任意の他の態様に、および任意の組み合わせにおいて、たとえ、そのような組み合わせがここにおいて明示的に言及または記述されなくても等しく適用できる。
【００８４】
前述したことから明白なように、本発明は、無線通信システムにおける、送信器と受信器との間の信号送信を含んでいる。典型的には、しかし、必ずしも排他的とは限らないが、送信器は基地局機器であり、受信器は端末である。「基地局機器」という用語は、例えば、eNB１１が別個の基地局２１から２ｎを制御する図１に示されている配置を含むことが可能な、一つ以上の基地局を提供、または少なくとも、その一つ以上の基地局を制御する機器のことである。基地局機器は通常は、3GPP LTEおよび3GPP LTE-A標準グループにおける実現形態に対して提案された形式を取り、従って、異なる状況においては適切なようにeNB（この用語は、Home eNBまたはHeNBもまた含む）を含むことができる。しかし、本発明の機能的な必要条件によっては、基地局機器は端末に信号を送信し、端末から信号を受信するために任意の適切な他の形式を取ることができる。
【００８５】
同様に、本発明において各端末は、基地局機器から信号を受信し、基地局機器へ信号を送信するために適切な任意の形式を取ることができる。例えば、端末は、加入者局（SS）、または移動局（MS）、または任意の他の適切な位置固定または可動形状を取ることができる。本発明を視覚化する目的のために、端末を移動ハンドセット（そして、多くの例では、端末の少なくとも幾つかは、移動ハンドセットを備えている）を想像すること都合がよいが、これにより、如何なる制限をも意味されない。
【図面の簡単な説明】
【００８６】
例としてのみの手段として、付随する図面を参照する。
【図１】キャリアアグリゲーション（CA）を採用している無線通信システムの例示図である。
【図２】LTEにおける複数のプロトコル層のそれぞれにおけるチャネルの例示図である。
【図３】LTE物理チャネルがどのようにしてPCellとSCellに割り当てられるかを示す図である。
【図４】本発明の実施の形態における、送信器において行われるプロセスのフローチャートである。
【図５】本発明の実施の形態における、受信器において行われるプロセスのフローチャートである。
【図６】本発明の実施の形態において採用できる端末（UE）の機能ブロックの例示図である。
【図７】本発明の実施の形態において採用できる基地局機器（eNB）の機能ブロックの例示図である。
【発明を実施するための形態】
【００８７】
導入部から、最も関連する特徴の幾つかをまとめると、UEは、そのUEに対して起動された任意のCCに関するDL割り当てを受信可能である。DL割り当ては、DCIメッセージによりUEへ搬送される。各DCIは、PDCCHまたはEPDDCH上で送信され、特定のCCを介して送信された、PDSCH上の一つ以上のトランスポートブロックの存在を示している。UEは、DCIメッセージを介して通知された各受信したトランスポートブロックに対するACK/NACKを送る。
【００８８】
最も簡単なケースにおいては、一つのDCI当たり一つのACK/NACKビットがある（各DCIが、それぞれのキャリア上で、所与のUEにPDSCHを介してダウンリンクにおいて送信される一つのデータコードワードまたはトランスポートブロックのスケジューリングを行うと仮定する）。他のケースとしては、MIMOが使用されるときのように、一つのDCI当たり二つのACK/NACKビットがあり、各DCIが、二つのダウンリンクコードワードのスケジューリングを行うと仮定するケースがある。原理的には、混在するケースが可能であり、そのケースにおいては、サブフレームにおける幾つかのDCIが、UEへの一つのコードワードのスケジューリングを行い、別の幾つかのDCIが、二つのコードワードのスケジューリングを行う。このケースにおいては、すべてのDCIに対して二つのACK/NACKビットを送信するために、UEにおいて簡素化を適用できる。このため、多くのケースにおいて、ACK/NACKコードブックサイズは、DCIの数に直接比例する。
【００８９】
しかし、LTE TDDにおいては、同じCCに関する複数のサブフレームのACK/NACKを、一つのサブフレームにおいて送信可能な利用可能なACK/NACKのビット数内に収めるために、「バンドリング」が必要となる可能性がある。バンドリングは典型的には、所与のサブフレームにおいて確認応答を必要とするコードワードの数が、ACK/NACKビット数を超える場合に適用される。バンドリングは、一つのACK/NACKビットで、二つ以上のコードワード（ビットが「ACK」であるためには、これらすべてが正しく受信されていることが必要）に対して確認応答することを意味する。このケースは典型的には、多数のDLサブフレームにおいてUEにより受信されたコードワードがすべて、同じULサブフレームにおいて確認応答される必要があるTDDにおいて起こる（例えば、ULサブフレームよりもDLサブフレームが多い、非対称DL/ULサブフレーム割り当ての場合）。
【００９０】
そのようなバンドリングはまた、上記の、サブフレームにおける幾つかのDCIがUEへの一つのコードワードのスケジューリングを行い、別の幾つかのDCIが二つのコードワードのスケジューリングを行うという混合したケースを簡素化するためにも適用可能である。UEは、すべてのDCIに対して一つのACK/NACKビットを送信し、バンドリングが、DCIが二つのコードワードのスケジューリングを行うために適用される（つまり、二つのコードワードに対して、一つACK/NACKビットのみ）。
【００９１】
バンドリングの場合に送られるACK/NACKは、eNBによりUEに対して通知されるダウンリンク割り当て情報（DAI）により部分的に支配される。現在のDAIは、DL割り当てがUEに送信される場合に、サブフレームにおいて増加される単一のCCに対するシーケンス番号と見なすことが可能である。DAI値は、DCIに含まれている。
【表２】
2017028683.tif 000004
【００９２】
例として、所与のサブフレームのセットにおいて、UEが、所与のキャリアに関して、DAI値のシーケンス[0,1,2,0,1]を受信したとすると、UEは、少なくとも一つのDCIが紛失したと推測可能である。送られた可能性がある、最も短い可能な送信されたシーケンスは[0,1,2,3,0,1]である。一般的には、UEは三つまでの連続する紛失DCIの任意のシーケンスを検出および補正可能である。特殊なケースは、シーケンスの最後のDCIが紛失する場合（表１において、「X」で示されている）であり、UEはこれを識別することが可能ではない。UEもまた、経過したサブフレームの数を知っており、この情報は補正プロセスにおける支援となることが可能である、簡略化のため、この態様は上記の例では考慮されないということに留意されたい。
【００９３】
DCIメッセージの検出に失敗する確率は一定であり、サブフレームとCCとの間の、一様で相互に相関されていない何れかのプロセスに対応すると仮定すると、確率を、典型的な設計仮定として、p=0.01のような値とすることが可能である。そして、シーケンスにおいて最後のDCIのみの紛失が起こる確率もまた約ｐであると近似可能である（これを説明すると、それぞれがDCIを有する四つのサブフレームに対して、三つの正しいDCIの後に一つの紛失DCIが続く確率は、P=(1-p)(1-p)(1-p)p=0.99×0.99×0.99×0.01であり、これは約0.01である）。
【００９４】
このケースは、紛失DCIが最も小さい数の補正が可能でないパターンである。他のすべての補正が可能でないパターンは、より多くの紛失DCIを含んでおり、そのため起こる可能性は遥かに低い。このため、所与のDCIのシーケンスが一つ以上の紛失DCIを有し、補正が可能でない確率もまた約p（つまり、約0.01）である。
【００９５】
ここでは、少なくともDL割り当ての正しい数が識別可能である場合（何れの割り当てが紛失したかを正確には推測することが可能ではなくとも）は、紛失DCIのパターンを「補正可能」と考えるということに留意されたい。紛失DCIは、eNBにこの問題を通知可能であり、問題のDCIの再送信を可能にするという意味において、紛失DCIは補正可能であるということは理解されるであろう。
【００９６】
シーケンスにおける最後のDCIの紛失を検出するメカニズムが、2015年5月25日から29日の、日本の福岡における3GPP TSG-RAN WG1会議＃81において、CATTにより、32個のCCまでの3GPP R1-152569 HARQ-ACK送信において提案されている。
【００９７】
追加的なビットがDAIフィールドに追加され、時間ドメインシーケンスにおける最後のDCIに対して「1」に設定される（または「0」に設定される）。これは問題を解決するが、一つのDCI当たりのオーバーヘッドの追加的ビットが発生する。
【００９８】
本発明は、LTE CAにおいては、サブフレームにおいて異なるCC上でUEに送信されるDCIの総数は、送信器において分かっているという認識に基づいている。この情報は、DAI方式のロバスト性を改良するために使用可能である。対照的に、時間ドメインにおける連続するサブフレームで送信されるパケットの数は、必ずしも予め分かっているとは限らない。
【００９９】
先行技術においては、所与のDCIにおけるDAI値は、前のDCIメッセージにおけるDAIにより決まる。
【０１００】
本発明の実施の形態においては、DAI値もまた、DCIメッセージのシーケンスにおけるDCIメッセージの総数により決まる。このため、一般的には、周波数ドメインにおける連続するDCIに添付されるDAI値のシーケンスは、そのサブフレームにおいてUEに送信されるDCIの数により決まる。
【０１０１】
本発明の特定の実施の形態を、送信器と受信器との間の、送信されるDCI数と、受信器により送信されるACK/NACKペイロードビット数の理解の信頼性を改良するために使用可能である。特別な例として、DAIの２ビットに対して、ACK/NACKペイロードは４の倍数に制約されるDCI数に対するビットに対応する。このため、ACK/NACKペイロードサイズ（または、言い換えると、コードブックサイズ）の精度は、特定の値に制約可能である。さらなる例として、シーケンスにおけるDAI値は、受信器へのACK/NACKコードブックサイズ（例えば、2または4の倍数）に対する制約、またはACK/NACKコードブックサイズの精度を示す量だけ増加させることができる。
【０１０２】
一般的なケースに対しては、DAI値は、
DAI(i)＝f(i,c) mod n 
で与えられ、ここにおいて、
iは、DCIのシーケンスにおけるDCIを識別し、
cは、シーケンスにおけるDCIの総数であり、
f(i,c)は、iとcとの関数であり、
nは、異なるDAI値の数である。
【０１０３】
ここで、DCIが周波数ドメインにおいて連続しているかどうかは、DCIが関係するリソース（例えば、CC）に関係し、送信されるDCI自身の周波数関係と同じであっても同じでなくてもよいということに留意されたい。より一般的には、順序は、UEとeNBが順序についての共通の理解を有しているならば、周波数に関しての順序である必要はない。
【０１０４】
送信器（基地局）において行われるような基本的プロセスは、図４に示されている。
【０１０５】
ステップＳ１００は、UEに対して構成された複数のCCを使用して、所与のサブフレームにおいて所与のUEに対してダウンリンクのスケジューリングを行うステップである。
【０１０６】
Ｓ１０２において基地局は、UEにDL割り当てを通知するためには合計幾つのDCI（制御メッセージ）が必要であるかを決定する。
【０１０７】
Ｓ１０４は、決定されたばかりのDCIの総数と、制約、または種々の実施の形態において下記に記述されるような「精度」に基づいて、各DCIに対するシーケンス番号を計算することである。
【０１０８】
ステップＳ１０６において基地局は、シーケンス番号をDCIに添付し、得られた制御メッセージをUEに送信する。このプロセスは次のサブフレームに対して繰り返され、基地局は何れのCC上においてもUEに対するDL割り当てを有することになる。
【０１０９】
実施の形態は、LTEに基づいている。
【０１１０】
受信器は、Xの所与の精度で制約されるACK/NACKコードブックのサイズを決定するために受信したDAI値を使用可能であり、つまり、DCI数に対応するACK/NACKビット数は、Xの倍数に制約されている。ここで、Xに対する典型的な値は2または4である。実際は、ACK/NACKビット数は、XのDCIの倍数に対応するために切り上げられる。X=4（四つ以上のDCIに対して最も小さい）の２ビットDAIに適用される実施の形態によれば、送信器と受信器がACK/NACKコードブックのサイズについての誤った理解を有する前に、三つまでの連続するDCIが紛失する可能性がある。
【０１１１】
ACK/NACKコードブックサイズを常に、スケジューリングされたDCIの数に正確に対応するようにしておくこと（つまり、x=1）は好ましいと考えられるが、この微細な精度は、実際には常に有益であるとは限らない。例えば、送信に対して利用可能な、ACK/NACKペイロードサイズのセットが制限される可能性がある。従って、ロバスト性を向上させるために、何れかの精度を犠牲にするということは容認できる。
【０１１２】
LTEにおいては、DCIは一つまたは二つのコードワードの送信をスケジューリングできるので、一つのコードワード当たり1ACK/NACKビットでは、対応するACK/NACKビット数は、1または2であってよいということに留意されたい。しかし、本発明の目的のためには、一つのCC当たりのACK/NACKビット数は、送信器と受信器の両者に知られていると仮定する。
第１実施の形態
【０１１３】
第１実施の形態はLTEに基づいており、２ビットDAIフィールドは各DCIに含まれている。
【０１１４】
DCIが送信される、順序よくまとめられているキャリアのセットに対しては、DAIは、ゼロのような予め決定された値から開始して、連続するDCIに対して増加される。受信器は、ACK/NACKコードブックサイズを２の倍数と仮定する。ACK/NACKコードブックサイズは、受信器により送信されたと仮定されるが、受信されてないDCI（制御チャネルメッセージ）プラス受信されたDCIの確認応答において送られるACK/NACKビット数に対応している。
【０１１５】
この実施の形態に対しては、数式１において、
f(i,c)=i 
であり、従って、DAI(i)=i mod nであり、ここにおいて、例えば、２ビットDAIフィールドに対してはn=4である。
【０１１６】
キャリアのセットの順序は周波数に基づくことができるが、これは必要不可欠なことではない。第１実施の形態に対するDAIシーケンスの幾つかの例が表２に示されている。上記の表１とは対照的に、キャリアのセットに対するDCIのケースであり、ここでは、一つのみではないキャリアが考慮されているということが分かるであろう。本発明を適用できる連続するDCIの数に対する制限がないことに留意されたい。
【表３】
2017028683.tif 000005
【０１１７】
表２は、主なエラーケースの確率を示しており、表１における先行技術の結果に対して、全体的に相当な改良があることが分かる。すでに記述したように、ACK/NACKビット数に関してのACK/NACKコードブックは、DCI数と等価である（DCI数に比例している）。LTEのようなシステムにおいては、一つの受信したDCI当たり一つまたは二つのACK/NACKビットがあってよい。表においては、ACK/NACKコードブックサイズは、DCI数として表現されている。
【０１１８】
表２および他の表においては、DCIが受信されないエラーケースが含まれている。LTEのようなシステムにおいては、これはACK/NACKビットの送信が行われないという結果になるが、ここではこのケースを「誤ったコードブックサイズ」の特殊なケースとして含んでいる。
【０１１９】
第１実施の形態の変形例において受信器は、ACK/NACKコードブックサイズは４の倍数であると仮定する。
【表４】
2017028683.tif 000006
【０１２０】
表３は、表２と比較するとさらなる改良を示しているが、コードブックサイズにおける精度はより粗くなっている。
【０１２１】
図５は、本実施の形態においてUEで行われるステップのフローチャートを示している。ステップＳ２００において、UEは、DCIが２ビットDAI値の形式で添付されたシーケンス番号を有している制御メッセージを基地局から受信し、DAI値のリストを対応する検出されたDCIから得る。UEは、リストにおけるシーケンスから何れかのDAI値が紛失しているかどうかを確認し、これはUEが、例えば、DAI値を表２におけるシーケンスと比較することにより判定可能である。紛失しているDAI値がないと分かると（Ｓ２００、ＮＯ）は、UEはステップＳ２０４に進む。紛失しているDAI値が検出されると、Ｓ２０２においてUEは、紛失しているDAI値、または複数の紛失しているDAI値をリストに追加する。ステップＳ２０４においてUEは、シーケンスにおける最初のDAI値が、この例においてはゼロである、予め決定された正しい値と等しいかどうかを確認する。等しい場合（Ｓ２０４、ＹＥＳ）、フローはＳ２０８に進む。そうでない場合（Ｓ２０４、「ＮＯ」）は、これは少なくとも一つのDAI値が紛失していることを示しているので、Ｓ２０６において紛失している値をリストの先頭に追加する。ステップＳ２０８においてUEは、上記に言及した精度を考慮して、結果としてのリストにおけるDAIの数が、ACK/NACKビットの有効な数と対応しているかどうかを確認する。DAI数が有効な数の場合（Ｓ２０８、「ＹＥＳ」）、フローはＳ２１２に進む。そうでない場合（Ｓ２０８、「ＮＯ」）、UEはＳ２１２に進む前にステップＳ２１０において、DAI値を、DAI値リストの最後に追加する。ステップＳ２１２においてUEは、検出されたDCI（実際に受信されたデータパケット）と、DAI値のリスト（受信していないDCIに対応する、シーケンスから紛失しているDAIを含む）を考慮して、送信されるACK/NACKビット値を決定する。ステップＳ２１４において、ACK/NACKビットの何れの必要な符号化の後に、UEは適切なACK/NACKをeNBに送る。UEはACK/NACKの新しいセットの送信が必要となるまで待ち、そしてプロセスは最初に戻る。
【０１２２】
上記の手順においては、紛失している値がリストに追加されるときに、それらの値に何らかの方法でマークを付けることが可能であり、それにより、実際に受信されたDAIを、紛失していると検出されたDAIから区別することが可能であるということに留意すべきである。
【０１２３】
本実施の形態のさらなる変形例（他の実施の形態に適用することもできる）においては、特殊なケースとして、一つDCIのみが受信された場合は、ACK/NACKフィードバックに対して異なる送信フォーマットを使用することができ、このフォーマットでは、一つのみまたは２ビットの搬送が可能である。
第２実施の形態
【０１２４】
第２実施の形態は、連続するDCIに対してDAIが増加されるという点において第１実施の形態と類似しているが、DCI数が偶数のときは開始値はゼロであり、DCI数が奇数のときは開始値は１である。受信器は、ACK/NACKコードブックサイズは２の倍数であると仮定する。
【表５】
2017028683.tif 000007
【０１２５】
DCI数により決まる、シーケンスに対する異なる開始点の提供は、表４に示されているようにさらなる改良を提供する。
【０１２６】
第２実施の形態の変形例において受信器は、DCI数が４の倍数プラス１で、開始値が１のときを除き、ACK/NACKコードブックサイズは４の倍数で、開始値DAIはゼロであると仮定する。
【表６】
2017028683.tif 000008
第３実施の形態
【０１２７】
第３実施の形態は、UEの観点から、計数のための増分がコードブックサイズの情報を示していること以外は、第１実施の形態と類似している。この例においては、増分は、コードブックサイズが２（１の増分）または４（３の増分）の倍数であるかどうかを示している。言い換えると、シーケンス番号における数列は、受信器へのコードブックサイズの精度を示している。予め決定されている開始DAI値はゼロである。
【０１２８】
２ビットDAIの特殊なケースとして、モジュロ４演算のため、計数のための増分１は「カウンティングアップ」となり、計数のための増分３は「カウンティングダウン」となる。
【表７】
2017028683.tif 000009
【０１２９】
２ビットDAIの第３実施の形態の変形例においては、計数のための増分は、コードブックサイズが４（増分１）または８（増分３）の倍数であるかどうかを示している。コードブックサイズを決定することの信頼性が改良されるが、精度はより粗くなる。
【表８】
2017028683.tif 000010
【０１３０】
３ビットDAIの第３実施の形態のさらなる変形例においては、計数のための増分は、ACK/NACKコードブックサイズを下記のように示している。
【表９】
2017028683.tif 000011
【０１３１】
表８においては、Nは整数{0,1,2,3...}であり、DAI値はモジュロ8である。
【０１３２】
潜在的なエラーケース間の相違をより良好に区別するために、DAIカウンタの開始値は、計数のための増分の値に設定される。
【０１３３】
微細な精度でコードブックサイズを決定することに対する信頼性は改良されるが、追加的DAIビットが生じる。
【表１０】
2017028683.tif 000012
【０１３４】
表９における結果は、微細なコードブック精度の達成と共に、最も良好な性能を示しており、これは３ビットDAIに対する好適な実施の形態である。
第４実施の形態
【０１３５】
第４実施の形態は、追加信号通知ビットがACK/NACKコードブックサイズは2または4の倍数であるかどうかを示していること以外は、第１実施の形態に類似している。追加的ビットはオーバーヘッドを増大するが、ロバスト性が向上されるという観点において恩恵がある。
【表１１】
2017028683.tif 000013
【０１３６】
第４実施の形態の変形例においては、追加信号通知ビットは、ACK/NACKコードブックサイズが4または8の倍数かどうかを示している。ロバスト性が向上されるという観点においてさらなる恩恵があるが、コードブックサイズにおける精度がより粗くなる。
【表１２】
2017028683.tif 000014
【０１３７】
図６は、本発明を適用できるUE１の例を例示しているブロック図である。UE１は、上記の無線通信システムにおいて使用できる装置の何れのタイプをも含むことができ、携帯電話（スマートフォンを含む）、移動通信機能を有している個人情報端末（PDA）、移動通信機能を有しているラップトップまたはコンピュータシステム、および／または無線通信動作が可能な何れの装置をも含むことができる。UE１は、少なくとも一つのアンテナ８０２に接続されている送信器／受信器ユニット８０４（この両者で通信ユニットを画定している）と、記憶媒体８０８の形式のメモリへのアクセスを有しているコントローラ８０６を含んでいる。コントローラ８０６は例えば、マイクロプロセッサ、デジタル信号プロセッサ（DSP）、特定用途向け集積回路（ASIC）、フィールドプログラマブルゲートアレイ（FPGA）、または、上記の種々の機能、例えば、ACK/NACKコードブックサイズを決定し、図５に示されている方法で、紛失DAI値を検出および識別する機能を行うようにプログラムまたは構成されている他の論理回路であってよい。例えば、上記の種々の機能は、記憶媒体８０８に格納され、コントローラ８０６により実行されるコンピュータプログラムの形式で具現化できる。送信／受信ユニット８０４はコントローラ８０６の制御のもとで、セルから制御メッセージを受信し、ACK/NACKを送るなど、以前に検討されたようなことを行うために配置される。
【０１３８】
図７は、eNB１１および、上記で言及した（そして、高速中継回線により、何れかの他の基地局に接続されている）基地局２１、２２、．．．２ｎの少なくとも一つとしての使用に適している機器の例を例示しているブロック図である。この機器は、少なくとも一つのアンテナ９０２に接続されている送信器／受信器ユニット９０４（この両者で通信ユニットを画定している）とコントローラ９０６を含んでいる。コントローラは例えば、マイクロプロセッサ、DSP、ASIC、FPGA、または、各UEに対するDL割り当てのスケジューリングを行うこと、そしてそれに相応して、表２から４に示されているDAI値のようなシーケンス番号を形成することを含む、DCIを構築することを含む、上記の種々の機能を行うようにプログラムまたは構成されている他の論理回路であってよい。例えば、上記の種々の機能は、記憶媒体９０８に格納され、コントローラ９０６により実行されるコンピュータプログラムの形式で具現化できる。送信／受信ユニット９０４はコントローラ９０６の制御のもとで、制御メッセージの送信などに対して責任がある。コントローラ９０６は、図１における２１のような何れの統合基地局を管理するばかりでなく、基地局機器により直接は制御されていない何れの別個の基地局も管理する。
【０１３９】
このため、要約すると、本発明の実施の形態は、LTEのようなシステムにおいて、シーケンス番号またはダウンリンク割り当てインディケータ（DAI）を、所与のサブフレームにおける連続するキャリア周波数の幾つか、またはすべてで送信されるパケットに関するダウンリンク制御情報（DCI）メッセージに添付可能であるということを提供できる。これは、パケットの受信に対して確認応答するために必要なACK/NACKビット数（ACK/NACKコードブックサイズ）を決定するために使用可能である。受信器はACK/NACKコードブックサイズを、DAI値の受信したシーケンスに従って、ある精度内に、または他の制約に従うように、または、言い換えると、固定サイズのセットの一つとして決定する。精度または制約は、予め決定、構成、またはシーケンスにより示すことができる。
【０１４０】
DAI値の受信したシーケンスは、DCIメッセージの誤った検出（例えば、何も送信されていないのにUEによりDCIメッセージが検出されるとき）の少なくとも幾つかのケースを検出するために使用可能である。例えば、シーケンスに適合しないDAIを有するDCIが受信されると、そのDCIを拒絶可能である。
【０１４１】
種々の修正が、本発明の範囲内で可能である。
【０１４２】
第４実施の形態から明白なように、本発明は２ビットのDAIに制限されず、３ビット以上のDAIにも適用可能である。同様に、本発明は例としてのケース、または表２から４に示されているシーケンス長に制限されない。
【０１４３】
実施の形態をDCIに関して記述してきたが、これが唯一の可能性ではない。より一般的には、本発明は何れの特別なタイプの制御メッセージ、言い換えれば、
定義された時間ウインドウ内で送信される、
定義された時間ウインドウ内で受信される、
ダウンリンクスケジューリングに対してである、
特別なメッセージフォーマットで送信される、
特別なチャネルを介して送信される
というような一つ以上の基準を共有する制御メッセージに適用可能である。
【０１４４】
記述されたような本発明は、制御メッセージと、連続する制御メッセージをカウントするためのDAI値を増加させることに適用される。しかし本発明は、DAI値がデータコードワードをカウントする場合にも適用可能である。これは、特別なキャリアに対して単一のDCIによりスケジューリングが行われるデータコードワードの数が変化する可能性がある場合には特に適している（例えば、一つまたは二つのコードワードを、アップリンクで送信される対応する１または２ACK/NACKビットで、ダウンリンクにおいて送信できる）。
【０１４５】
LTEのようなシステムにおいては、多数のCCが構成されるときに、UEが制御チャネルメッセージを誤って受信する確率は相当に高い。ダウンリンクデータ送信のスケジューリングを行う、誤って検出された制御チャネルメッセージから導出されたDAI値によっては、これは正しくないACK/NACKコードブックサイズがUEにより使用されるという結果になる可能性がある。これが起こる確率を減少するためには、幾つかの緩和手段が望ましい。例えば、誤って検出されたDCIに対しては、DAI値は、UEにより予期されるDAIシーケンスの数列に適合する可能性は低い。従って、これは幾つかのDCIの紛失を示しているとして解釈される可能性が高く、仮定されたACK/NACKコードブックサイズが大きすぎるという結果になり、正しくないACK/NACKビット数の対応する送信という結果になる。これは、ｅＮｏｄｅＢへの正しくないACK/NACKペイロードの送信、誤ったメッセージフォーマットの使用、または、誤ったリソースにおける送信という結果になる可能性があり、干渉を引き起こす。そのような事態の確率を減少するために、UEにより大き過ぎる紛失DCIの数（例えば、３以上）が仮定または推定されたときは、UEによるACK/NACK送信を取りやめることが可能である。ACK/NACK送信を取りやめる前の、紛失DCIの数に対する閾値は、
・  予め決定する、
・  eNodeBからの信号通知により構成する、
・  構成または起動されたCCの数により非明示的に決定する（例えば、大きなCCの数に対しては、より高い閾値）、
・  ACKを示すACK/NACKビットの数または割合により非明示的に決定する（例えば、わずかな数のビットのみしかACKを示していないときは、閾値を下げることが可能である）、
・  検出されたCCIの数により非明示的に決定する（例えば、より大きな数の検出されたCDIに対しては、より高い閾値）
ことが可能である。上記の組み合わせもまた、ACK/NACK送信を取りやめるかどうかを決定するために使用可能である。
【０１４６】
上記の実施の形態と変形例の何れも、同じシステムにおいて組み合わせることができる。上記の記述は、LTEとLTE-Aに関してなされたが、本発明は他の種類の無線通信システムにも適用できる。従って、請求項における「端末」への言及は、何れの種類の加入者局、移動装置、MTC装置などをカバーすることが意図されており、LTEのUEに制限されない。
【０１４７】
上記の本発明の態様または実施の形態の何れにおいても、種々の特徴を、ハードウェアにおいて、または一つ以上のプロセッサ上で作動するソフトウェアモジュールとして実現できる。一つの態様の特徴は、他の態様の何れにも適用できる。
【０１４８】
本発明はまた、ここにおいて記述された方法の何れをも実行するためのコンピュータプログラムまたはコンピュータプログラム製品、および、ここにおいて記述された方法の何れをも実行するためのプログラムを格納しているコンピュータ読み取り可能媒体も提供する。
【０１４９】
本発明を具現化するコンピュータプログラムは、コンピュータ読み取り可能媒体に格納でき、または、例えば、インターネットウェブサイトから提供されるダウンロード可能なデータ信号のような信号の形式であってよく、または任意の他の形式であってよい。
【０１５０】
請求項の範囲から逸脱することなく、ここで記述された特別な実施の形態に対して、種々の変更および／または修正を行うことができるということを理解されたい。
【産業上の利用可能性】
【０１５１】
DCIのような制御メッセージのシーケンスが、送信器と受信器との間で送られる無線通信システムにおいては、本発明の実施の形態は、例えば、２ビットのDAIで、任意の三つの連続するDCI（最後のDCIは含まない）の紛失を検出することを可能にする。先行技術に対する具体的な改良は、シーケンスにおける最後のDCIの三つまでの紛失を、これ以上ビットを追加することなく検出且つ補正可能であるということである。これにより、送信されるDCIメッセージの数と、対応するACK/NACK情報に関しての、送信器と受信器との間のより正確且つ信頼性のある共通理解が可能となる。これは、DCIメッセージの検出に失敗する最も起こり易いケースは、受信器において識別可能であるので、例えば、DCIメッセージに関するACK/NACK情報の送信フォーマットが、送信されるメッセージの数により決まるときに有益である。
【図１】
2017028683.tif 000015
【図２】
2017028683.tif 000016
【図３】
2017028683.tif 000017
【図４】
2017028683.tif 000018
【図５】
2017028683.tif 000019
【図６】
2017028683.tif 000020
【図７】
2017028683.tif 000021